(57)【特許請求の範囲】
【請求項１】
アンテナを介して送信データを受信する無線部と、
２色以上の表示が可能な表示部と、
データを格納するＲＡＭと、
０〜９までの数字を入力することができると共に前記表示部の表示内容を操作することができる操作部と、
電子メールアプリケーションプログラムを内蔵するＲＯＭと、
前記無線部が受信したデータを種類毎に分類して電子メールのデータを前記ＲＡＭに格納させると共に、前記電子メールアプリケーションプログラムを実行し、色番号を指定する色番号情報が付加されている電子メールは、前景色と背景色を同一色とし内容が読めない状態で前記表示部に表示させ、色番号情報が付加されていない電子メールは、前景色と背景色を異なった色とし内容が読める状態で前記表示部に表示させる制御部と
を有する電子メールを表示する端末装置。
【請求項２】
前記制御部は、
前記電子メールを、内容が読めない状態或いは内容が読める状態で前記表示部に表示した後に、色番号の入力があった場合、入力した色番号と前記色番号情報との正誤を判定して、判定の結果、前記色番号情報が誤っている場合、現在の表示をそのまま行い、前記色番号情報が正しい場合、前景色と背景色が同一色で表示されているか否かを判断して、判断の結果、異なった色で表示され内容が読める状態の場合、現在の表示とは逆の同一色の表示に切り替えて内容が読めない状態にし、同一色で表示され内容が読めない状態の場合、現在の表示とは逆の異なった色の表示に切り替えて内容を読める状態にすることにより、表示画面上で電子メールの表示を切り替える請求項１に記載の電子メールを表示する端末装置。
【請求項３】
前記電子メールは、前記色番号情報により指定された色を用いて前記表示部に表示される請求項１または２に記載の電子メールを表示する端末装置。
【請求項４】
前記色番号情報に代えて色識別情報を用いる請求項１〜３のいずれかに記載の電子メールを表示する端末装置。
【請求項５】
受信したデータを種別毎に分類し、電子メールのデータをＲＡＭに格納する処理と、
受信した電子メールに、色番号を指定する色番号情報が付加されているか否かを判断する処理と、
電子メールアプリケーションプログラムを実行し、判断の結果、前記色番号情報が付加されている場合、前景色と背景色を同一色とし内容が読めない状態で前記表示部に表示し、前記色番号情報が付加されていない場合、前景色と背景色を異なった色とし内容が読める状態で前記表示部に表示する処理と
を有する電子メールの表示方法。
【請求項６】
前記電子メールを、内容が読めない状態或いは内容が読める状態で前記表示部に表示する処理の後、色番号の入力があった場合、入力した色番号と前記色番号情報との正誤を判定する処理と、
判定の結果、前記色番号情報が誤っている場合、現在の表示をそのまま行い、前記色番号情報が正しい場合、前景色と背景色が同一色で表示されているか否かを判断する処理と、
判断の結果、異なった色で表示され内容が読める状態の場合、現在の表示とは逆の同一色の表示に切り替えて内容が読めない状態にし、同一色で表示され内容が読めない状態の場合、現在の表示とは逆の異なった色の表示に切り替えて内容を読める状態にし、表示画面上で電子メールの表示を切り替える処理と
を有する請求項５に記載の電子メールの表示方法。
【請求項７】
前記電子メールは、前記色番号情報により指定された色を用いて前記表示部に表示される請求項５または６に記載の電子メールの表示方法。
【請求項８】
前記色番号情報に代えて色識別情報を用いる請求項５〜７のいずれかに記載の電子メールの表示方法。
【請求項９】
受信したデータを種別毎に分類し、電子メールのデータをＲＡＭに格納する処理と、
受信した電子メールに、色番号を指定する色番号情報が付加されているか否かを判断する処理と、
電子メールアプリケーションプログラムを実行し、判断の結果、前記色番号情報が付加されている場合、前景色と背景色を同一色とし内容が読めない状態で前記表示部に表示し、前記色番号情報が付加されていない場合、前景色と背景色を異なった色とし内容が読める状態で前記表示部に表示する処理と
を実行する電子メール表示プログラムを記録した記録媒体。
【請求項１０】
前記電子メールを、内容が読めない状態或いは内容が読める状態で前記表示部に表示する処理の後、色番号の入力があった場合、入力した色番号と前記色番号情報との正誤を判定する処理と、
判定の結果、前記色番号情報が誤っている場合、現在の表示をそのまま行い、前記色番号情報が正しい場合、前景色と背景色が同一色で表示されているか否かを判断する処理と、
判断の結果、異なった色で表示され内容が読める状態の場合、現在の表示とは逆の同一色の表示に切り替えて内容が読めない状態にし、同一色で表示され内容が読めない状態の場合、現在の表示とは逆の異なった色の表示に切り替えて内容を読める状態にし、表示画面上で電子メールの表示を切り替える処理と
を実行する請求項９に記載の電子メール表示プログラムを記録した記録媒体。
【請求項１１】
前記電子メールは、前記色番号情報により指定された色を用いて前記表示部に表示される請求項９または１０に記載の電子メール表示プログラムを記録した記録媒体。
【請求項１２】
前記色番号情報に代えて色識別情報を用いる請求項９〜１１のいずれかに記載の電子メール表示プログラムを記録した記録媒体。
【発明の詳細な説明】
【０００１】
【発明の属する技術分野】
この発明は、電子メールの表示に関し、特に、電子メールを表示する端末装置、電子メールの表示方法、及び電子メール表示プログラムを記録した記録媒体に関する。
【０００２】
【従来の技術】
パーソナルコンピュータ（パソコン）および携帯電話の発達および普及に伴い、コミュニケーションの手段として電子メールが多用されるようになった。電子メールは、手紙等のようにポストへ投函するような手間がなく、電話のように通話時間および通話時間帯等に気を使う必要がないという利点がある。そのため、手軽で便利なコミュニケーションの手段として、老若男女問わず利用されている。通常、電子メールは、送信した相手が電子メールを読むことを前提としている。このため、電子メールを読ませないようにするための機能は持っていない。
【０００３】
【発明が解決しようとする課題】
しかしながら、例えば、一般家庭で共有して端末装置等を使用している場合等には、端末装置等が、必ずしも送信したい相手の手元にあるとは限らず、不本意ながら他人に見られてしまうことがある。また、電子メールの閲覧中に、電子メールの内容が、他人には読まれたくない内容である場合に、簡単に電子メールの内容を読めなくする機能が必要である。
【０００４】
この発明の目的は、電子メールの内容を読める状態（以降、可読と記す）と読めない状態（以降、非読と記す）に表示を切り替えることができる電子メールを表示する端末装置および電子メールの表示方法を提供することである。
【０００５】
【課題を解決するための手段】
上述の課題を解決するため、画面表示を、文字等を表示する前景と表示画面の表示色を表示する背景とに大きく分けて考えると、電子メールが可読では、前景と背景とを違う色（異色）とし、電子メールが非読では、前景と背景との色を同じ色（同一色）として読めなくする。
【０００６】
この発明に係る電子メールを表示する端末装置は、アンテナを介して送信データを受信する無線部と、２色以上の表示が可能な表示部と、データを格納するＲＡＭと、０〜９までの数字を入力することができると共に前記表示部の表示内容を操作することができる操作部と、電子メールアプリケーションプログラムを内蔵するＲＯＭと、前記無線部が受信したデータを種類毎に分類して電子メールのデータを前記ＲＡＭに格納させると共に、前記電子メールアプリケーションプログラムを実行し、色番号を指定する色番号情報が付加されている電子メールは、前景色と背景色を同一色とし内容が読めない状態で前記表示部に表示させ、色番号情報が付加されていない電子メールは、前景色と背景色を異なった色とし内容が読める状態で前記表示部に表示させる制御部とを有する。
【０００７】
この発明に係る電子メールの表示方法は、受信したデータを種別毎に分類し、電子メールのデータをＲＡＭに格納する処理と、受信した電子メールに、色番号を指定する色番号情報が付加されているか否かを判断する処理と、電子メールアプリケーションプログラムを実行し、判断の結果、前記色番号情報が付加されている場合、前景色と背景色を同一色とし内容が読めない状態で前記表示部に表示し、前記色番号情報が付加されていない場合、前景色と背景色を異なった色とし内容が読める状態で前記表示部に表示する処理とを有する。
【０００８】
この発明に係る電子メールの表示プログラムを記録した記録媒体は、受信したデータを種別毎に分類し、電子メールのデータをＲＡＭに格納する処理と、受信した電子メールに、色番号を指定する色番号情報が付加されているか否かを判断する処理と、電子メールアプリケーションプログラムを実行し、判断の結果、前記色番号情報が付加されている場合、前景色と背景色を同一色とし内容が読めない状態で前記表示部に表示し、前記色番号情報が付加されていない場合、前景色と背景色を異なった色とし内容が読める状態で前記表示部に表示する処理とを実行する。
【０００９】
【発明の実施の形態】
次に、この発明の実施の形態について図面を参照して説明する。図１は、この発明の実施の形態の端末装置の構成を示す図である。図面を参照すると、端末装置１７は、無線アンテナ１０と，無線部１１と，制御部１２と，表示部１３と，操作部１４と，ＲＯＭ１５と，ＲＡＭ１６とより構成される。各構成要素を具体的に説明する。
【００１０】
無線部１１は、無線アンテナ１０を介して、電子メールおよび画像データ等の送信されたデータを受信する。制御部１２は、このデータを種類ごとに分類し、ＲＡＭ１６へ格納させる。同時に、制御部１２は、表示部１３にその内容を表示させる。操作部１４は、キーパッド等を備え、０〜９までの数字を入力することができる。また、操作部１４は、表示部１３の表示内容を操作することができる。ＲＯＭ１５は、電子メールアプリケーションプログラムを内蔵している。電子メールアプリケーションプログラムにより、表示部１３に電子メールの内容を表示し、電子メールを可読とする場合には、前景と背景とを異色とし、電子メールを非読とする場合には、前景と背景との色を同一色とする。一般的には、前景は文字等を表示し、背景は画面の表示色を表示している。色番号情報が付加されて送付された電子メールを表示する際には、前景色と背景色とを同一色として、電子メールが表示されていても非読とする。また、色番号情報による同一色の指定を解除して、前景色と背景色とを異色として、可読とすることができる。ＲＡＭ１６は、制御部１２が電子メールとして分類したデータを格納する。
【００１１】
次に、この発明の実施の形態の動作を説明する。図１を参照して、無線アンテナ１０を通じて無線部１１によって受信したデータは、制御部１２に渡される。制御部１２は、無線部１１から渡されたデータを解析し、そのデータを種別ごとに分類する。分類されたデータの各々は、予め決められた場所に格納される。例えば、電子メールのデータはＲＡＭ１６に格納すると決めると、制御部１２により種別が電子メールと分類されたデータは、ＲＡＭ１６に格納される。同時にＲＯＭ１５にある電子メールアプリケーションプログラムによって、ＲＡＭ１６に格納されたデータを表示部１３に表示する。
【００１２】
次に、この発明の具体的な実施例を図面を参照して説明する。図２は、この発明の実施例を示す図である。この実施例の端末装置２７は、無線アンテナ２０と，無線部２１と，制御部２２と，表示部２３と，操作部２４と，ＲＯＭ２５と，ＲＡＭ２６とより構成される。電子メールが送信された場合の各構成要素の機能を説明する。
【００１３】
無線部２１は、無線アンテナ２０を介して、送信された電子メールであるデータを受信する。制御部２２は、このデータが電子メールと分類してＲＡＭ２６に格納させる。同時に、表示部２３に電子メールの内容を表示させる。表示部２３は、２色以上が表示可能であり、例えば電子メールの前景色を黒として（文字の色も黒となる）、背景色を白として、電子メール（文字）を読める表示ができるものとする。操作部２４は、キーパッド等を備え、０〜９までの数字を入力することができるものとする。また、操作部２４は、表示部２３の表示内容を操作することができるものとする。ＲＯＭ２５は、電子メールアプリケーションプログラムを内蔵している。この電子メールアプリケーションプログラムを制御部２２により実行することにより、表示部２３に電子メールの内容を表示し、電子メールを可読とする場合には、前景色と背景色とを異色とし、電子メールを非読とする場合には、前景色と背景色との色を同一色とする。また、色番号情報を付加したり、色識別情報が付加されて送付された電子メールを表示する際には、前景色と背景色とを同一色として、電子メールが表示されていても電子メールの内容を非読とする。また、色番号情報による同一色の指定を解除して、前景色と背景色とを異色として、電子メールの内容を可読とすることもできる。ＲＡＭ２６は、制御部２２が電子メールとして分類したデータを格納する。
【００１４】
次に、図３，図４，図５を参照して、この発明の実施例の動作を説明する。図３，図４，図５は、実施例の動作を示すフロー図である。
【００１５】
まず始めに、図２，図３を参照して、非読の電子メールの作成方法を説明する。まず、電子メールを作成する（ステップ３０１）。電子メールの作成においては、文字だけの文を入力する。
【００１６】
次に、作成した電子メールに色番号の指定をするか、しないかを判断する（ステップ３０２）。色番号は、携帯電話等の移動端末装置で表示できる色に対応させるものとする。色番号の指定は、色番号そのものを入力するか、または色の名称で入力して行う。この際に、色の名称で入力した場合には、色番号に変換されるものとする。指定された色番号は、一時的にＲＡＭ２６に格納される。
【００１７】
色番号を指定しないと判断した場合には、作成した電子メールをそのままの状態とし、色番号情報を付加しない（ステップ３０３）。
【００１８】
一方、色番号を指定すると判断した場合には、作成した電子メールに指定された色番号を入力し、一時的にＲＡＭ２６に格納し、格納された色番号情報を付加する（ステップ３０４）。
【００１９】
次に、色番号情報を付加しない電子メール、または色番号情報を付加した電子メールを、相手先に送信する（ステップ３０５）。この際に、送信する電子メールに色番号情報を付加する場合には、色番号は予め電子メールの送受信者間で取り決めておくか、または、受信者のみに分かるように送信者が知らせることが必要である。
【００２０】
次に、図２，図４を参照して、受信した電子メールの表示について説明する。
【００２１】
電子メール受信処理により電子メールを受信し、受信した電子メールをＲＡＭ２６に格納する（ステップ４０１）。
【００２２】
次に、受信した電子メールに（図３のステップ３０４で指定された）色番号情報が付加されているかを判断する（ステップ４０２）。
【００２３】
色番号情報が付加されていない電子メールの場合には、文字が読めるように前景色と背景色とを異色として、表示部２３に可読表示する（ステップ４０３）。
【００２４】
色番号情報が付加されていた電子メールの場合には、文字が読めないように色番号情報で指定された色を用いて、前景色と背景色とを同一色として、表示部２３に非読表示する（ステップ４０４）。この状態では電子メールの内容を表示しているにも関わらず、前景色と背景色とが同一色であるため、文字の識別ができず電子メールの内容を読むことができない。
【００２５】
次に、図２，図５を参照して、前景色と背景色とが異色の表示、および前景色と背景色とが同一色の表示において、相互間での表示の切り替えについて説明する。
【００２６】
電子メールを表示する（ステップ５０１）。次に、操作部２４からキー入力により色番号の入力があった場合（ステップ５０２）、この入力と色番号情報との正誤を判定する（ステップ５０３）。色番号情報が違う場合には、現状の表示をそのまま行なう。
【００２７】
次に、色番号情報が正しい場合には、同一色で表示されているか否かを判断する（ステップ５０４）。
【００２８】
異色で表示された可読表示の場合には、現在の表示状態と逆の表示、すなわち前景色と背景色とを同一色の表示に切り替えて、非読表示する（ステップ５０５）。
【００２９】
同一色で表示された非読表示の場合には、現在の表示状態と逆の表示、すなわち前景色と背景色とを異色に切り替えて、可読表示する（ステップ５０６）。
【００３０】
以上説明したように、この発明の電子メールアプリケーションプログラムを実行して電子メールの表示をすれば、設定画面等を表示してから画面表示の設定を切り替えること等のステップを必要としないので、電子メールを表示画面上で表示を切り替えることが容易にできる。
【００３１】
この発明の実施の形態および実施例で説明した端末装置は、パソコン，携帯電話，ＰＨＳ等の電子メールが送受信できる端末装置である。
【００３２】
【発明の効果】
以上説明したように、この発明は、電子メールに色番号情報を付加すれば、受信した状態では電子メールの内容を読むことができないため、他人が電子メールの内容を読むことはできないという効果がある。また、電子メールを読める状態と読めない状態を容易に切り替えできるため、電子メールの内容を読みたいとき、および表示しても良いときのみ読める状態にすることができる効果がある。
【図面の簡単な説明】
【図１】この発明の実施の形態の構成を示す図である。
【図２】この発明の実施例の構成を示す図である。
【図３】この発明の実施例の動作を示すフロー図である。
【図４】この発明の実施例の動作を示すフロー図である。
【図５】この発明の実施例の動作を示すフロー図である。
【符号の説明】
１０，２０  無線アンテナ
１１，２１  無線部
１２，２２  制御部
１３，２３  表示部
１４，２４  操作部
１５，２５  ＲＯＭ
１６，２６  ＲＡＭ
１７，２７  端末装置
【図１】
0003642021.tif 000002
【図２】
0003642021.tif 000003
【図３】
0003642021.tif 000004
【図４】
0003642021.tif 000005
【図５】
0003642021.tif 000006